(57)【要約】【課題】  食品、その他の商品を包装した包装用シートの上面を互いに反対方向へ引張るだけのワンタッチ作業で簡単に開封することが可能な開封機構を備えた包装材を提供することを目的とする。【解決手段】  包装用シート１にミシン目３を形成すると共に、ミシン目３内側の包装用シート１に当該ミシン目３が長手方向の略中央に位置するように帯状カバーシート４を配設し、該帯状カバーシート４の長手方向の一側端縁をミシン目３にかからないように貼着した包装用シート開封機構２を備えて成る。【選択図】          図１
2006123912.tif 000002
【特許請求の範囲】
【請求項１】
包装用シートにミシン目を形成すると共に、ミシン目内側の包装用シートに当該ミシン目が長手方向の略中央に位置するように帯状カバーシートを配設し、該帯状カバーシートの長手方向の一側端縁をミシン目にかからないように貼着した包装用シート開封機構を備えていることを特徴とする包装材。
【請求項２】
前記包装用シートおよび帯状カバーシートとして、透明、半透明ないし不透明なプラスチックフィルムを用いることを特徴とした請求項１記載の包装材。
【請求項３】
前記包装用シート開封機構において、当該シートに対する帯状カバーシートの貼着をヒートシールによって行なうことを特徴とする前記請求項１または２記載の包装材。
【請求項４】
前記包装用シート開封機構において、当該シートに対する帯状カバーシートの貼着を接着剤によって行なうことを特徴とする前記請求項１または２記載の包装材。
【発明の詳細な説明】
【技術分野】
【０００１】
本発明は、包装用シート開封機構を備えた包装材に関する。
【背景技術】
【０００２】
従来から、握り寿司や菓子等の食品、その他の商品を一個一個包装する包装材は数多く用いられている。
【０００３】
例えば、図１１に示したものは握り寿司用の包装材を示すもので、矩形の透明プラスチックフィルム製の包装用シート１００を形成し、この包装用シート１００を握り寿司１０１へ上方から密着状態に被せて包装用シート１００の端縁を握り寿司１０１下面に折り込み、当該折り込み部分１０２を自然開封しないようにヒートシールすることによって用いられる。
【特許文献１】特開平３−５３８５８号公報
【発明の開示】
【発明が解決しようとする課題】
【０００４】
しかしながら、前記包装用シート１００にて包装された握り寿司１０１を食するときには、図１２に示したように、いったん反転させてから握り寿司１０１下面、すなわち包装用シート１００の折り込み部分１０２を上方に向けてからヒートシールを剥すことで包装用シート１００を開封する作業や再び包装用シート１００から取り出した握り寿司１０１を反転させて元に戻す作業が必要であるため、食するまでに面倒な手間と時間が掛かる問題を有している。
【０００５】
また、ヒートシール部分を剥すためには相当な力を必要とする上に、そのさい、包装用シート１００内の握り寿司１０１を押し潰したり、あるいは誤って手から落すおそれがあるなどの問題もある。
【０００６】
そこで、本発明は、前記した従来の技術が有する問題点を解消するもので、食品、その他の商品を包装した包装用シートの上面を互いに反対方向へ引張るだけのワンタッチ作業で簡単に開封することが可能な開封機構を備えた包装材を提供することを目的とする。
【課題を解決するための手段】
【０００７】
上述した課題を解決するため、本発明にあっては、請求項１では、包装用シートにミシン目を形成すると共に、ミシン目内側の包装用シートに当該ミシン目が長手方向の略中央に位置するように帯状カバーシートを配設し、該帯状カバーシートの長手方向の一側端縁をミシン目にかからないように貼着した包装用シート開封機構を備えていることを特徴とする。
【０００８】
請求項２では、前記包装用シートおよび帯状カバーシートとして、透明、半透明ないし不透明なプラスチックフィルムを用いることを特徴とする。
【０００９】
請求項３では、前記包装用シート開封機構において、当該シートに対する帯状カバーシートの貼着をヒートシールによって行なうことを特徴とする。
【００１０】
請求項４では、前記包装用シート開封機構において、当該シートに対する帯状カバーシートの貼着を接着剤によって行なうことを特徴とする。
【発明の効果】
【００１１】
以上のように、本発明にあっては、包装用シートにミシン目を形成すると共に、この包装用シート内側にミシン目が長手方向の略中央に位置するよう帯状カバーシートを配設し、該帯状カバーシートの長手方向の一側端縁をミシン目にかからないように貼着してなる包装用シート開封機構を備えてなるものであるから、次に述べる効果を有する。
【００１２】
１．包装用シートに形成されたミシン目はその下側において帯状カバーシートによって覆われているため外部から塵埃や雑菌等がシート内部に侵入するのを防止することができる。
【００１３】
２．外気の導入による食品の乾燥や変色等を防止することができ、味覚や鮮度を長期に亘って保持することができる。
【００１４】
３．包装用シートのミシン目下側を覆う帯状カバーシートはミシン目にかからないようにその一側端縁が貼着されて固定されているため、包装用シートを反対方向へ引っ張ってミシン目を切断するときの支障にならず、シートの開封作業をワンタッチで円滑かつ迅速に行うことができる。
【発明を実施するための最良の形態】
【００１５】
以下、図面を参照して本発明を実施するための最良の一形態を説明すると、図において示される符号１は、矩形の包装用シートであって、長手方向の略中央に包装用シート開封機構２が設けられている。
【００１６】
前記包装用シート１としては、透明、半透明、あるいは不透明なプラスチックフィルム、例えばポリプロピレン、ポリエチレン、ポリエチレンフタレート等から成るプラスチックフィルムやこれらプラスチックがコーティングされた紙等が好適である。
【００１７】
そして、この包装用シート１の略中央に設けられた包装用シート開封機構２は、矩形の包装用シート１の長手方向略中央にミシン目３を全長に亘って形成すると共に、ミシン目３内側の包装用シート１に、当該ミシン目３が長手方向の略中央に位置するように帯状カバーシート４を配設し、該帯状カバーシート４の長手方向の一側端縁をミシン目３にかからないように包装用シート１に貼着することによって構成される。
【００１８】
前記包装用シート１に対する帯状カバーシート４の貼着は、ヒートシールあるいは接着剤のいずれかによって行なうこともできる。図中５は、その貼着部分を示す。
【００１９】
なお、図１ないし図３に示す矩形の包装用シート開封機構２付きの包装用シート１は、図１０に示したように、連続包装用シート開封機構２付きのロール１１を形成し、このロール１１を所定の長さにカットすることによって形成することができる。
【００２０】
次に、以上の構成から成る包装用シート１は、図５ないし図９に示したように、被包装物６の上面の略中央に包装用シート開封機構２が配設されるようにして包装する。
【００２１】
すなわち、図５および図７は、円い菓子６ａを包装用シート１で包装したもので、上面中央に包装用シート開封機構２が配設される。一方、図６および図８は握り寿司６ｂを包装用シート１で包装したもので、上面斜め方向に包装用シート開封機構２が配設される。
【００２２】
次に、被包装物６を包装した包装用シート１上面の包装用シート開封機構２を開封するには、図４（ａ）、（ｂ）および図９に示したように、包装用シート１上面のミシン目３両側に指先二本をそれぞれ押し当てつつ反対方向へ引っ張って当該ミシン目３を左右に引き裂く。こうして包装用シート１上面が大きく開放されるため包装用シート１内部の被包装材６を簡単に取り出すことができる。
【００２３】
このとき、帯状カバーシート４は、包装用シート１のミシン目３を内側から添着状態でカバーするため外部からの塵埃や雑菌等の浸入を防止することができると共に、包装用シート１との貼着部５は、ミシン目３を避けているためミシン目３の切断作業の妨げにならないものとなっている。
【図面の簡単な説明】
【００２４】
【図１】本発明に係る包装材を示す正面図である。
【図２】同上の背面図である。
【図３】図１のＡ−Ａ線断面図である。
【図４】要部の拡大断面図であり、（ａ）は切り離し前、（ｂ）は切り離し後を示している。
【図５】使用状態を示す平面図である。
【図６】同じく使用状態を示す他側の平面図である。
【図７】図５のＢ−Ｂ矢視断面図を示す。
【図８】フィルム開封時の同上断面図を示す。
【図９】包装用シートをロールに形成した状態を示す斜視図である。
【図１０】従来の包装用シートで握り寿司を包装した状態を示す斜視図である。
【図１１】同上の開封途中を示す斜視図である。
【符号の説明】
【００２５】
１    包装用シート
２    包装用シート開封機構
３    ミシン目
４    帯状カバーシート
５    貼着部
６    被包装物
１１  ロール
【図１】
2006123912.tif 000003
【図２】
2006123912.tif 000004
【図３】
2006123912.tif 000005
【図４】
2006123912.tif 000006
【図５】
2006123912.tif 000007
【図６】
2006123912.tif 000008
【図７】
2006123912.tif 000009
【図８】
2006123912.tif 000010
【図９】
2006123912.tif 000011
【図１０】
2006123912.tif 000012
【図１１】
2006123912.tif 000013